(57)【要約】【課題】閲覧者がＷｅｂページを閲覧しながら、他の閲覧者がそのＷｅｂページをどのように評価しているかについて容易に知ることができるＷｅｂページ評価システム、管理者装置及びプログラムを提供する。【解決手段】管理者装置は、Ｗｅｂページを表示する閲覧者端末の表示手段にそのＷｅｂページを評価するための選択領域を表示させる表示制御手段と、前記表示制御手段が前記表示手段に表示させる選択領域の選択結果を取得する選択結果取得手段と、前記選択結果取得手段が取得した選択結果に基づいて前記Ｗｅｂページの評価を記憶するＷｅｂページ評価記憶手段とを備え、前記表示制御手段は、前記表示手段が表示しているＷｅｂページの評価を前記Ｗｅｂページ評価記憶手段から読み出して前記選択領域とともに前記閲覧者端末の表示手段に表示させる。【選択図】図１
2008077205.tif 000002
【特許請求の範囲】
【請求項１】
利用者装置と閲覧者端末と管理者装置とを備えるＷｅｂページ評価システムにおいて、
前記利用者装置は、
Ｗｅｂページを記憶するＷｅｂページ記憶手段と、
前記閲覧者端末からＷｅｂページ表示要求信号を受信した場合に前記Ｗｅｂページ記憶手段が記憶しているＷｅｂページを前記閲覧者端末に送信するＷｅｂページ送信手段とを備え、
前記閲覧者端末は、
Ｗｅｂページの表示を要求するＷｅｂページ表示要求を取得するＷｅｂページ表示要求取得手段と、
Ｗｅｂページ表示要求取得手段がＷｅｂページ表示要求を取得した場合にＷｅｂページ表示要求信号を前記利用者装置に送信するＷｅｂページ表示要求信号送信手段と、
前記Ｗｅｂページ送信手段からＷｅｂページを受信した場合に前記Ｗｅｂページを表示する表示手段とを備え、
前記管理者装置は、
Ｗｅｂページを表示する閲覧者端末の表示手段にそのＷｅｂページを評価するための選択領域を表示させる表示制御手段と、
前記表示制御手段が前記表示手段に表示させる選択領域の選択結果を取得する選択結果取得手段と、
前記選択結果取得手段が取得した選択結果に基づいて前記Ｗｅｂページの評価を記憶するＷｅｂページ評価記憶手段とを備え、
前記表示制御手段は、前記表示手段が表示しているＷｅｂページの評価を前記Ｗｅｂページ評価記憶手段から読み出して前記選択領域とともに前記閲覧者端末の表示手段に表示させることを特徴とするＷｅｂページ評価システム。
【請求項２】
前記選択領域は、少なくとも２つの選択領域からなることを特徴とする請求項１に記載のＷｅｂページ評価システム。
【請求項３】
前記表示制御手段は、前記各選択領域の選択回数を、前記Ｗｅｂページの評価として前記閲覧者端末の表示手段に表示させることを特徴とする請求項２に記載のＷｅｂページ評価システム。
【請求項４】
前記管理者装置は、
Ｗｅｂページに含まれるＷｅｂページ情報を収集するＷｅｂページ情報収集手段と、
前記Ｗｅｂページ評価手段が記憶するＷｅｂページの評価結果を集計するＷｅｂページ評価結果集計手段と、
前記Ｗｅｂページ情報収集手段が収集したＷｅｂページ情報と、前記Ｗｅｂページ評価結果集計手段が集計したＷｅｂページの評価結果とを結合して集計結果画像を生成する関連情報連結手段とを備え、
前記表示制御手段は、前記関連情報連結手段が生成した集計結果画像を前記閲覧者端末の表示手段に表示させることを特徴とする請求項１から３までのいずれかの項に記載のＷｅｂページ評価システム。
【請求項５】
利用者装置に記憶されているＷｅｂページを表示する閲覧者端末の表示手段にそのＷｅｂページを評価するための選択領域を表示させる表示制御手段と、
前記表示制御手段が前記表示手段に表示させる選択領域の選択結果を取得する選択結果取得手段と、
前記選択結果取得手段が取得した選択結果に基づいて前記Ｗｅｂページの評価を記憶するＷｅｂページ評価記憶手段とを備え、
前記表示制御手段は、前記表示手段が表示しているＷｅｂページの評価を前記Ｗｅｂページ評価記憶手段から読み出して前記選択領域とともに前記閲覧者端末の表示手段に表示させることを特徴とする管理者装置。
【請求項６】
コンピュータに、
利用者装置に記憶されているＷｅｂページを表示する閲覧者端末の表示手段にそのＷｅｂページを評価するための選択領域を表示制御手段が表示させる第１のステップと、
前記表示制御手段が前記表示手段に表示させる選択領域の選択結果を選択結果取得手段が取得する第２のステップと、
前記選択結果取得手段が取得した選択結果に基づいて前記Ｗｅｂページの評価をＷｅｂページ評価記憶手段が記憶する第３のステップと、
前記表示手段が表示しているＷｅｂページの評価を前記Ｗｅｂページ評価記憶手段から読み出して前記選択領域とともに前記閲覧者端末の表示手段に表示制御手段が表示させる第４のステップと、
を実行させるためのプログラム。
【発明の詳細な説明】
【技術分野】
【０００１】
本発明は、Ｗｅｂページ評価システム、管理者装置及びプログラム、特に、閲覧者がＷｅｂページを評価するためのＷｅｂページ評価システム、管理者装置及びプログラムに関する。
【背景技術】
【０００２】
従来から、利用者が作成したブログなどのＷｅｂページを、Ｗｅｂ上で閲覧者に対して公開する技術が知られている。この場合において、利用者は自分が作成したＷｅｂページが、閲覧者からどのように評価されているかについて知りたいという要求がある。
この要求を満たすための技術として、Ｗｅｂ拍手という技術が知られている（非特許文献１）。このＷｅｂ拍手の技術では、閲覧者が閲覧したＷｅｂページを良いと感じた場合には、閲覧者端末に表示されるボタンを押下することにより、利用者は自分が作成したＷｅｂページが複数の閲覧者からどのように評価されているのかについて知ることができる。
【非特許文献１】“Ｗｅｂ拍手”、［平成18年8月28日検索］、インターネット〈URL：http://www.webclap.com/〉
【発明の開示】
【発明が解決しようとする課題】
【０００３】
しかしながら、従来の技術では、Ｗｅｂページを閲覧する閲覧者は、そのＷｅｂページが他の閲覧者からどのように評価されているかについて容易に知ることができないという問題があった。
【０００４】
本発明は、上文章情に鑑みてなされたものであり、その目的は、閲覧者がＷｅｂページを閲覧しながら、他の閲覧者がそのＷｅｂページをどのように評価しているかについて容易に知ることができるＷｅｂページ評価システム、管理者装置及びプログラムを提供することにある。
【課題を解決するための手段】
【０００５】
本発明は、上記課題を解決するためになされたもので、請求項１に記載の発明は、利用者装置と閲覧者端末と管理者装置とを備えるＷｅｂページ評価システムにおいて、前記利用者装置は、Ｗｅｂページを記憶するＷｅｂページ記憶手段と、前記閲覧者端末からＷｅｂページ表示要求信号を受信した場合に前記Ｗｅｂページ記憶手段が記憶しているＷｅｂページを前記閲覧者端末に送信するＷｅｂページ送信手段とを備え、前記閲覧者端末は、Ｗｅｂページの表示を要求するＷｅｂページ表示要求を取得するＷｅｂページ表示要求取得手段と、Ｗｅｂページ表示要求取得手段がＷｅｂページ表示要求を取得した場合にＷｅｂページ表示要求信号を前記利用者装置に送信するＷｅｂページ表示要求信号送信手段と、前記Ｗｅｂページ送信手段からＷｅｂページを受信した場合に前記Ｗｅｂページを表示する表示手段とを備え、前記管理者装置は、Ｗｅｂページを表示する閲覧者端末の表示手段にそのＷｅｂページを評価するための選択領域を表示させる表示制御手段と、前記表示制御手段が前記表示手段に表示させる選択領域の選択結果を取得する選択結果取得手段と、前記選択結果取得手段が取得した選択結果に基づいて前記Ｗｅｂページの評価を記憶するＷｅｂページ評価記憶手段とを備え、前記表示制御手段は、前記表示手段が表示しているＷｅｂページの評価を前記Ｗｅｂページ評価記憶手段から読み出して前記選択領域とともに前記閲覧者端末の表示手段に表示させることを特徴とするＷｅｂページ評価システムである。
本発明は、利用者装置では、ＷｅｂページをＷｅｂページ記憶手段が記憶し、閲覧者端末からＷｅｂページ表示要求信号を受信した場合にＷｅｂページ記憶手段が記憶しているＷｅｂページを閲覧者端末にＷｅｂページ送信手段が送信するようにした。また、閲覧者端末では、Ｗｅｂページの表示を要求するＷｅｂページ表示要求をＷｅｂページ表示要求取得手段が取得し、Ｗｅｂページ表示要求取得手段がＷｅｂページ表示要求を取得した場合にＷｅｂページ表示要求信号を利用者装置にＷｅｂページ表示要求信号送信手段が送信し、Ｗｅｂページ送信手段からＷｅｂページを受信した場合にＷｅｂページを表示手段が表示するようにした。また、管理者装置では、Ｗｅｂページを表示する閲覧者端末の表示手段にそのＷｅｂページを評価するための選択領域を表示制御手段が表示させ、表示制御手段が表示手段に表示させる選択領域の選択結果を選択結果取得手段が取得し、選択結果取得手段が取得した選択結果に基づいてＷｅｂページの評価をＷｅｂページ評価記憶手段が記憶するようにした。また、表示制御手段は、表示手段が表示しているＷｅｂページの評価をＷｅｂページ評価記憶手段から読み出して選択領域とともに閲覧者端末の表示手段に表示させるようにした。
これにより、閲覧者端末の表示手段には、ＷｅｂページとともにそのＷｅｂページの評価が表示されるので、閲覧者はそのＷｅｂページを閲覧しながら、他の閲覧者がそのＷｅｂページをどのように評価しているかについて容易に知ることができる。
【０００６】
また、請求項２に記載の発明は、前記選択領域は、少なくとも２つの選択領域からなることを特徴とする請求項１に記載のＷｅｂページ評価システムである。
本発明では、選択結果取得手段は、少なくとも２つの選択領域のいずれかを選択結果として取得することができるので、閲覧者はそのＷｅｂページを閲覧しながら、他の閲覧者がそのＷｅｂページをどのように評価しているのかについて容易に知ることができる。
【０００７】
また、請求項３に記載の発明は、前記表示制御手段は、前記各選択領域の選択回数を、前記Ｗｅｂページの評価として前記閲覧者端末の表示手段に表示させることを特徴とする請求項２に記載のＷｅｂページ評価システムである。
本発明では、各選択領域の選択回数を、Ｗｅｂページの評価として閲覧者端末の表示手段に表示させるようにしたので、閲覧者はそのＷｅｂページを閲覧しながら、所定の評価をした閲覧者がどの程度いるのかについて容易に知ることができる。
【０００８】
また、請求項４に記載の発明は、前記管理者装置は、Ｗｅｂページに含まれるＷｅｂページ情報を収集するＷｅｂページ情報収集手段と、前記Ｗｅｂページ評価手段が記憶するＷｅｂページの評価結果を集計するＷｅｂページ評価結果集計手段と、前記Ｗｅｂページ情報収集手段が収集したＷｅｂページ情報と、前記Ｗｅｂページ評価結果集計手段が集計したＷｅｂページの評価結果とを結合して集計結果画像を生成する関連情報連結手段とを備え、前記表示制御手段は、前記関連情報連結手段が生成した集計結果画像を前記閲覧者端末の表示手段に表示させることを特徴とする請求項１から３までのいずれかの項に記載のＷｅｂページ評価システムである。
本発明では、画像、文章、リンクページなどのＷｅｂページ情報と、Ｗｅｂページの評価結果とを結合した集計結果画像を、閲覧者端末の表示手段に表示させるようにしたので、閲覧者は集計結果画像を閲覧することにより、複数のＷｅｂページの相対的な評価結果を知ることができる。
【０００９】
また、請求項５に記載の発明は、利用者装置に記憶されているＷｅｂページを表示する閲覧者端末の表示手段にそのＷｅｂページを評価するための選択領域を表示させる表示制御手段と、前記表示制御手段が前記表示手段に表示させる選択領域の選択結果を取得する選択結果取得手段と、前記選択結果取得手段が取得した選択結果に基づいて前記Ｗｅｂページの評価を記憶するＷｅｂページ評価記憶手段とを備え、前記表示制御手段は、前記表示手段が表示しているＷｅｂページの評価を前記Ｗｅｂページ評価記憶手段から読み出して前記選択領域とともに前記閲覧者端末の表示手段に表示させることを特徴とする管理者装置である。
【００１０】
また、請求項６に記載の発明は、コンピュータに、利用者装置に記憶されているＷｅｂページを表示する閲覧者端末の表示手段にそのＷｅｂページを評価するための選択領域を表示制御手段が表示させる第１のステップと、前記表示制御手段が前記表示手段に表示させる選択領域の選択結果を選択結果取得手段が取得する第２のステップと、前記選択結果取得手段が取得した選択結果に基づいて前記Ｗｅｂページの評価をＷｅｂページ評価記憶手段が記憶する第３のステップと、前記表示手段が表示しているＷｅｂページの評価を前記Ｗｅｂページ評価記憶手段から読み出して前記選択領域とともに前記閲覧者端末の表示手段に表示制御手段が表示させる第４のステップとを実行させるためのプログラムである。
【発明の効果】
【００１１】
本発明によれば、閲覧者がＷｅｂページを閲覧しながら、他の閲覧者がそのＷｅｂページをどのように評価しているかについて容易に知ることができる。
【発明を実施するための最良の形態】
【００１２】
以下、図面を参照し、本発明の実施形態について説明する。
図１は、本発明の実施形態によるＷｅｂページ評価システム１００の概略構成図である。Ｗｅｂページ評価システム１００は、利用者装置１０、閲覧者端末２０、管理者装置３０を備えている。利用者装置１０、閲覧者端末２０、管理者装置３０は、それぞれインターネットなどのネットワーク６０ａに接続されている。ここでは、１台の閲覧者端末２０がネットワーク６０ａに接続されている場合を示しているが、実際には多数の閲覧者端末がネットワーク６０ａに接続される。
【００１３】
利用者装置１０は、Ｗｅｂサーバなどの機器であり、閲覧者端末２０に対してＷｅｂページなどを配信する。利用者装置１０は、利用者装置通信部１１、利用者装置制御部１２、利用者装置記憶部１３を備えている。
利用者装置通信部１１は、ネットワーク６０ａを介して閲覧者端末２０や管理者装置３０と通信を行なう。
利用者装置制御部１２は、利用者装置１０の各部を制御する。利用者装置制御部１２による制御については、図４を参照して後述する。
利用者装置記憶部１３は、利用者が作成するブログなどのＷｅｂページを記憶する。
【００１４】
図２は、本発明の実施形態による利用者装置制御部１２が記憶するＷｅｂページの一例を示す図である。なお、利用者装置制御部１２は、複数の利用者が作成する複数のＷｅｂページを記憶する。
図２に示すように、Ｗｅｂページｗ１には、タイトルが表示される領域ａ１、画像が表示される領域ａ２、文章が記載される領域ａ３などが設けられている。また、Ｗｅｂページｗ１には、ＣＧＩ実行結果を表示するための領域ａ４が設けられている。Ｗｅｂページｗ１には、Ｗｅｂページｗ１を評価するためのＣＧＩ（Common Gateway Interface）を実行するアプリケーションサーバ４０ａのＵＲＬ（Uniform Resource Locator）が含まれている。
【００１５】
図１に戻り、閲覧者端末２０は、閲覧者が操作するＰＣ（Personal Computer）などの機器である。閲覧者端末２０は、入力部２１、閲覧者端末通信部２２、閲覧者端末制御部２３、表示部２４を備えている。
入力部２１は、キーボードやマウスなどの入力機器であり、閲覧者端末を操作する閲覧者の指示を取得する。
閲覧者端末通信部２２は、ネットワーク６０ａを介して閲覧者端末２０や管理者装置３０と通信を行なう。
閲覧者端末制御部２３は、閲覧者端末２０の各部を制御する。閲覧者端末制御部２３による制御については、図４を参照して後述する。
表示部２４は、ＬＣＤ（Liquid Crystal Display）などの出力機器であり、Ｗｅｂページなどを画面に表示する。
【００１６】
管理者装置３０は、アプリケーションサーバ４０ａ及び４０ｂ、データベースサーバ５０からなる。アプリケーションサーバ４０ａ、４０ｂ、データベースサーバ５０は、それぞれＬＡＮ（Local Area Network）などのネットワーク６０ｂに接続されている。ここでは、アプリケーションサーバを２台設置する場合について示しているが、これに限定されるものではなく、１台又は３台以上設置するようにしても良い。
【００１７】
アプリケーションサーバ４０ａは、アプリケーションサーバ通信部４１、アプリケーションサーバ制御部４２を備えている。なお、アプリケーションサーバ４０ｂの構成は、アプリケーションサーバ４０ａの構成と同じであるので、その説明を省略する。
アプリケーションサーバ通信部４１は、ネットワーク６０ａを介して利用者装置１０や閲覧者端末２０と通信を行なったり、ネットワーク６０ｂを介してデータベースサーバ５０と通信を行なったりする。
アプリケーションサーバ制御部４２は、アプリケーションサーバ４０の各部を制御する。アプリケーションサーバ制御部４２による制御については、図４を参照して後述する。
【００１８】
データベースサーバ５０は、データベースサーバ通信部５１、データベースサーバ制御部５２、データベースサーバ記憶部５３を備えている。
データベースサーバ通信部５１は、ネットワーク６０ｂを介してアプリケーションサーバ４０ａ、４０ｂと通信を行なう。
データベースサーバ制御部５２は、データベースサーバ５０の各部を制御する。データベースサーバ制御部５２による制御については、図４を参照して後述する。
データベースサーバ記憶部５３は、ＣＧＩデータなどを記憶する。本実施形態におけるＣＧＩデータは、閲覧者によるＷｅｂページの評価結果である。
【００１９】
図３は、本発明の実施形態によるデータベースサーバ記憶部５３が記憶するＣＧＩデータの一例を示す図である。図３に示すように、データベースサーバ記憶部５３は、登録番号（例えば、６００）、Ｗｅｂページ名（例えば、○○ブログ）、ＵＲＬ（例えば、ｈｔｔｐ：／／ｂｂｂ〜）、良評価数（例えば、６６８）、悪評価数（例えば、１０１）を対応付けて記憶している。
【００２０】
図４は、本発明の実施形態によるＷｅｂページ評価システム１００の処理を示すシーケンス図である。図４に示したシーケンス図による処理を行なう前提として、ネットワーク６０ａに接続されている閲覧者端末２０にＷｅｂページを公開する利用者は、自己のＷｅｂページ（図２参照）とＵＲＬとを対応付けて、利用者装置１０の利用者装置記憶部１３（Ｗｅｂページ記憶手段）に記憶させる。
【００２１】
閲覧者端末２０の入力部２１（Ｗｅｂページ表示要求取得手段）は、閲覧者の操作に基づいて、Ｗｅｂページの表示を要求するＷｅｂページ表示要求を取得する（ステップＳ０１）。
閲覧者端末制御部２３（Ｗｅｂページ表示要求信号送信手段）は、入力部２１がＷｅｂページ表示要求を取得した場合にＷｅｂページ表示要求信号をネットワーク６０ａを介して利用者装置１０に送信する（ステップＳ０２）。
【００２２】
利用者装置制御部１２（Ｗｅｂページ送信手段）は、閲覧者端末通信部２２からＷｅｂページ表示要求信号を受信した場合に利用者装置記憶部１３が記憶しているＷｅｂページを、ステップＳ０２でＷｅｂページ表示要求信号を送信してきた閲覧者端末２０にネットワーク６０ａを介して送信する（ステップＳ０３）
【００２３】
閲覧者端末通信部２２は、ステップＳ０３で送信されたＷｅｂページを受信し、そのＷｅｂページを閲覧者端末制御部２３に出力する。閲覧者端末制御部２３は、閲覧者端末通信部２２から出力されたＷｅｂページに含まれるアプリケーションサーバ４０ａのＵＲＬを読み出し、ＣＧＩ実行要求信号をネットワーク６０ａを介してアプリケーションサーバ４０に送信する（ステップＳ０４）。
【００２４】
アプリケーションサーバ通信部４１は、ステップＳ０４で送信されたＣＧＩ実行要求信号を受信し、そのＣＧＩ実行要求をアプリケーションサーバ制御部４２に出力する。
アプリケーションサーバ制御部４２は、アプリケーションサーバ通信部４１、ネットワーク６０ｂを介して、データベースサーバ５０にＣＧＩデータ要求信号を送信する（ステップＳ０５）。
【００２５】
データベースサーバ通信部５１は、ステップＳ０５で送信されたＣＧＩデータ要求信号を受信し、そのＣＧＩデータ要求信号をデータベースサーバ制御部５２に出力する。
データベースサーバ制御部５２は、Ｗｅｂページに該当するＣＧＩデータをデータベースサーバ記憶部５３から読み出し、そのＣＧＩデータを、データベースサーバ通信部５１、ネットワーク６０ｂを介して、アプリケーションサーバ４０に送信する（ステップＳ０６）。
【００２６】
アプリケーションサーバ通信部４１は、ステップＳ０６で送信されたＣＧＩデータをアプリケーションサーバ制御部４２に出力する。アプリケーションサーバ通信部４１は、ＣＧＩデータに基づいてＣＧＩを実行し、ＣＧＩ実行結果を、アプリケーションサーバ通信部４１、ネットワーク６０ａを介して閲覧者端末２０に送信する（ステップＳ０７）。
【００２７】
図５は、本発明の実施形態によるアプリケーションサーバ制御部４２によるＣＧＩ実行結果の一例を示す図である。アプリケーションサーバ制御部４２によるＣＧＩ実行結果として、選択領域ｂ１が生成される。
選択領域ｂ１には、Ｗｅｂページの内容が良いと閲覧者が判定する場合に選択される選択ボタンｂ２が含まれている。また、選択領域ｂ１には、選択ボタンｂ２が押下された回数（例えば、６６８）と、利用者装置１０が記憶している全Ｗｅｂページにおける選択ボタンｂ２が押下された回数の順位（例えば、１１３／１５０１位）とが含まれている。
【００２８】
また、選択領域ｂ１には、Ｗｅｂページの内容が悪いと閲覧者が判定する場合に選択される選択ボタンｂ３が含まれている。また、選択ボタンｂ３が押下された回数（例えば、１０１）と、利用者装置１０が記憶している全Ｗｅｂページにおける選択ボタンｂ３が押下された回数の順位（例えば、８１９／１５０１位）とが含まれている。
【００２９】
なお、本実施形態では、選択領域が２つの選択領域（選択ボタンｂ２と選択ボタンｂ３）からなる場合について説明したが、これに限定されるものではない。つまり、選択領域は、少なくとも２つの選択領域からなるものであれば、３つ以上の選択領域からなるものであっても良い。
また、本実施形態では、選択領域が画像である選択ボタンからなる場合について説明したが、これに限定されるものではない。つまり、選択領域を、画像ではなくＵＲＬなどの文字などにより構成するようにしてもよい。
【００３０】
また、選択領域ｂ１には、Ｗｅｂページｗ１の評価である総合ランキング（例えば、３２８／１５０１位）が含まれている。総合ランキングは、選択ボタンｂ２が押下（選択）された回数と選択ボタンｂ３が押下された回数の差に基づいて算出される。なお、総合ランキングの算出方法としてこれ以外の方法を用いても良い。例えば、選択ボタンｂ２が押下された回数や選択ボタンｂ３が押下された回数に基づいて総合ランキングを算出してもよいし、それらの回数に所定の処理を行なった結果に基づいて総合ランキングを算出してもよい。
【００３１】
図４に戻り、閲覧者端末通信部２２は、ステップＳ０７で送信されたＣＧＩ実行結果を受信し、閲覧者端末制御部２３に出力する。閲覧者端末制御部２３は、ステップＳ０３で取得したＷｅｂページｗ１（図２参照）を表示部２４に表示する（ステップＳ０８）。また、閲覧者端末制御部２３は、Ｗｅｂページｗ１の領域ａ４に、ステップＳ０７で取得したＣＧＩ実行結果（図５参照）を表示する。
【００３２】
上述したステップＳ０４〜Ｓ０８の処理を行なうことにより、アプリケーションサーバ制御部４２（表示制御手段）は、Ｗｅｂページｗ１を表示する閲覧者端末２０の表示部２４にそのＷｅｂページｗ１を評価するための選択領域ｂ１を表示させる。
【００３３】
図６は、本発明の実施形態による閲覧者端末２０の表示部２４に表示される画面の一例を示す図である。図６は、図４で示したシーケンス図のステップＳ０８の処理後に表示部２４に表示される画面を示している。
図６に示すように、Ｗｅｂページｗ１には、タイトルが表示される領域ａ１、画像が表示される領域ａ２、文章が記載される領域ａ３などが表示される。また、Ｗｅｂページｗ１の領域ａ４には、Ｗｅｂページｗ１を評価するためのＣＧＩのＣＧＩ実行結果（図５）が表示される。
【００３４】
図４に戻り、閲覧者は表示部２４に表示されたＷｅｂページｗ１（図６参照）を閲覧し、そのＷｅｂページの評価を入力部２１に入力する。
具体的には、Ｗｅｂページｗ１の内容が良いと感じた場合には閲覧者は入力部２１を操作することにより選択ボタンｂ２を押下する。一方、Ｗｅｂページの内容が悪いと感じた場合には閲覧者は入力部２１を操作することにより選択ボタンｂ３を押下する。これにより、入力部２１は、Ｗｅｂページ評価結果を取得し（ステップＳ０９）、そのＷｅｂページ評価結果を閲覧者端末制御部２３に出力する。Ｗｅｂページ評価結果には、Ｗｅｂページｗ１のＵＲＬと、押下された選択ボタンの種別が含まれる。
【００３５】
閲覧者端末制御部２３は、Ｗｅｂページ評価結果を、閲覧者端末通信部２２、ネットワーク６０ａを介してアプリケーションサーバ４０に送信する（ステップＳ１０）。なお、同一の閲覧者が同一のＷｅｂページに関するＷｅｂ評価結果を、何度もアプリケーションサーバ４０に送信することを防ぐために、同一の閲覧者端末２０から同一のＷｅｂページに関して送信可能なＷｅｂ評価結果の回数に制限を設けるようにしても良い（例えば、１日に１回など）。
【００３６】
アプリケーションサーバ通信部４１は、ステップＳ１０で送信されたＷｅｂページ評価結果を受信し、アプリケーションサーバ制御部４２に出力する。これにより、アプリケーションサーバ制御部４２（選択結果取得手段）は、アプリケーションサーバ制御部４２が閲覧者端末２０の表示部２４（表示手段）に表示させる選択領域ｂ１の選択結果を取得する。
アプリケーションサーバ制御部４２は、アプリケーションサーバ通信部４１、ネットワーク６０ｂを介してデータベースサーバ５０にＷｅｂページ評価結果を送信する（ステップＳ１１）。
【００３７】
データベースサーバ通信部５１は、ステップＳ１１で送信されたＷｅｂページ評価結果を受信し、データベースサーバ制御部５２に出力する。データベースサーバ記憶部５３（Ｗｅｂページ評価記憶手段）は、データベースサーバ制御部５２が取得した選択結果に基づいてＷｅｂページの評価を記憶する。具体的には、データベースサーバ制御部５２は、Ｗｅｂページ評価結果をデータベースサーバ記憶部５３が記憶しているＣＧＩデータに反映することにより、更新後ＣＧＩデータをデータベースサーバ記憶部５３に記憶させる。Ｗｅｂページｗ１について選択ボタンｂ２が押下されたというＷｅｂページ評価結果をデータベースサーバ制御部５２が取得した場合には、ＣＧＩデータ（図３参照）のＷｅｂページｗ１のＵＲＬにおける良評価数に１が加算される。
データベースサーバ制御部５２は、データベースサーバ記憶部５３に反映させることにより得られる更新後ＣＧＩデータを、データベースサーバ通信部５１、ネットワーク６０ｂを介してアプリケーションサーバ４０に送信する（ステップＳ１２）。
【００３８】
アプリケーションサーバ通信部４１は、ステップＳ１２で送信された更新後ＣＧＩデータをアプリケーションサーバ制御部４２に出力する。アプリケーションサーバ通信部４１は、更新後ＣＧＩデータに基づいてＣＧＩを実行し、更新後ＣＧＩ実行結果を、アプリケーションサーバ通信部４１、ネットワーク６０ａを介して閲覧者端末２０に送信する（ステップＳ１３）。
【００３９】
閲覧者端末通信部２２は、ステップＳ１３で送信された更新後ＣＧＩ実行結果を受信し、閲覧者端末制御部２３に出力する。閲覧者端末制御部２３は、ステップＳ０３で取得したＷｅｂページと、ステップＳ１３で取得した更新後ＣＧＩ実行結果とを、表示部２４に表示する（ステップＳ１４）。
【００４０】
上述したステップＳ１０〜Ｓ１４の処理を行なうことにより、アプリケーションサーバ制御部４２（表示制御手段）は、表示部２４が表示しているＷｅｂページｗ１の評価をデータベースサーバ記憶部５３から読み出して選択領域ｂ１とともに閲覧者端末２０の表示部２４に表示させることができる。
【００４１】
図７は、本発明の実施形態による閲覧者端末２０の表示部２４に表示される画面の一例を示す図である。図６は、図４で示したシーケンス図のステップＳ１４の処理後に表示部２４に表示される画面を示している。
図７では、図６と比較して、選択領域ｂ１中の良評価数が６６８から６６９に増加し、良評価の順位が１１３／１５０１位から１１０／１５０１位に上昇している。また、総合ランキングが３２８／１５０１位から３２０／１５０１位に上昇している。
【００４２】
次に、本発明の実施形態によるＷｅｂページ評価システムのＷｅｂページの評価方法について詳細に説明する。
図８は、本発明の実施形態によるアプリケーションサーバ４０ａの処理を説明するためのブロック図である。
閲覧者端末２０の閲覧者端末制御部２３（図１参照）は、Ｗｅｂページ評価部２３１、集計結果表示制御部２３２を備えている。
また、データベースサーバ５０のデータベースサーバ記憶部５３（図１参照）は、Ｗｅｂページ評価結果記憶部５３１、関連情報記憶部５３２を備えている。
また、アプリケーションサーバ４０ａのアプリケーションサーバ制御部４２（図１参照）は、Ｗｅｂページ登録部４２１、選択領域表示制御部４２２、Ｗｅｂページ評価結果受信部４２３、Ｗｅｂページ情報収集部４２４（Ｗｅｂページ情報収集手段）、Ｗｅｂページ評価結果集計部４２５（Ｗｅｂページ評価結果集計手段）、関連情報登録部４２６、関連情報連結部４２７（関連情報連結手段）、集計結果送信部４２８を有する。
【００４３】
Ｗｅｂページ登録部４２１は、Ｗｅｂ上に公開されるＷｅｂページのＷｅｂページ名とそのＷｅｂページのＵＲＬとを利用者装置１０から取得し、図３に示すように対応付けてＷｅｂページ評価結果記憶部５３１に記録する。
選択領域表示制御部４２２は、Ｗｅｂページ評価結果記憶部５３１から図５に示すような選択領域ｂ１の情報を読み出し、Ｗｅｂページ評価部２３１に送信する。これにより、Ｗｅｂページ評価部２３１は、Ｗｅｂページと選択領域ｂ１とを閲覧者端末２０の表示部２４（図１参照）に表示させる（図４のステップＳ０８の処理に相当する）。
【００４４】
Ｗｅｂページ評価結果受信部４２３は、Ｗｅｂページ評価部２３１から選択領域ｂ１の選択結果であるＷｅｂページ評価結果を受信し、Ｗｅｂページ評価結果記憶部５３１に記録する（図４のステップＳ１１に相当する）。
Ｗｅｂページ情報収集部４２４は、利用者装置１０の利用者装置記憶部１１（図１）に記録されているＷｅｂページに含まれる画像、文章、リンクページなどのＷｅｂページ情報を取得し、関連情報記憶部５３２に記録する。例えば、画像は商品の写真であり、文章はその商品を紹介する記事であり、リンクページはその商品を購入するためのＷｅｂページのＵＲＬである。Ｗｅｂページ情報収集部４２４が、Ｗｅｂページに含まれる画像や文章を識別できるように、画像が表示される領域ａ２や文章が記載される領域ａ３には、画像や文章が含まれていることを示すＩＤがＷｅｂページを制作した利用者の操作に基づいて記載されている。
【００４５】
Ｗｅｂページ評価結果集計部４２５は、Ｗｅｂページ評価結果記憶部５３１に記録されているＷｅｂページ評価結果を読み出し、関連情報連結部４２７に出力する。
関連情報登録部４２６は、管理者装置３０の管理者の操作に基づいて、関連情報（例えば、後述する図９のｃ４１〜ｃ４３）を関連情報記憶部５３２に記録したり、その関連情報を消去や修正したりする。なお、関連情報は、Ｗｅｂページ評価結果を集計した集計結果画像ｇ１を生成する際に、Ｗｅｂページと対応付けられて表示等される情報である。
【００４６】
関連情報連結部４２７は、Ｗｅｂページ評価結果集計部４２５から出力されるＷｅｂページ評価結果と、関連情報記憶部５３２に記録されている関連情報とを結合して図９に示すような集計結果画像ｇ１を生成する。
図９に示すように、関連情報連結部４２７は、例えば、良評価数が多い順に、ランキング順位ｃ１１〜ｃ１３、画像ｃ２１〜ｃ２３、選択領域ｂ１（ｂ１１〜ｂ１３）、文章ｃ３１〜ｃ３３、関連情報ｃ４１〜ｃ４３を並べて配置することにより、集計結果画像ｇ１を生成する。
【００４７】
図８に戻り、集計結果送信部４２８は、関連情報連結部４２７が生成した集計結果画像ｇ１を、集計結果表示制御部２３２に出力する。これにより、集計結果表示制御部２３２は、関連情報連結部４２７を閲覧者端末２０の表示部２４（図１参照）に表示させる。
【００４８】
図８に示したＷｅｂページ評価システムを構築することによって、関連情報をＷｅｂページ評価結果と共に提供することにより、Ｗｅｂページ評価結果の閲覧にとどまらず、利用者の利便性を向上させることが可能となる。
また、関連情報を複数のＷｅｂページから自動的に取得することにより、Ｗｅｂページ評価システムの運用費を低減させることができ、即時性の向上を図ることが可能となる。
また、１回の利用者登録により複数のＷｅｂページの開設を可能とすることで、Ｗｅｂページ作成者の運用費の低減、利便性の向上を図ることが可能となる。
【００４９】
上述した処理を行なうことにより、選択ボタンｂ２を押下した閲覧者だけでなく、Ｗｅｂページを閲覧した他の閲覧者が操作する閲覧者端末の表示部にも更新後の良評価数、悪評価数、総合ランキングが表示することができるので、Ｗｅｂページｗ１を閲覧する全ての閲覧者は、利用者装置１０に登録されている全てのＷｅｂページの中で、自分が閲覧しているＷｅｂページがどの程度評価されているのかについて、リアルタイムに知ることができる。
【００５０】
また、利用者装置１０にＷｅｂページを登録する利用者は、自分が作成したＷｅｂページが、Ｗｅｂページ評価システムに登録されている全Ｗｅｂページの中で、複数の閲覧者からどの程度の評価を受けているのかについて、図９に示すような集計結果画像ｇ１に基づいて知ることができる。また、自分が作成したＷｅｂページを、評価の高い他のＷｅｂページの閲覧者が閲覧することを促進することができる。
また、管理者装置３０の管理者は、集計結果画像ｇ１が掲載されたＷｅｂページを、多数の閲覧者が閲覧するため、集客効果を高めることができる。また、閲覧者に人気の高いＷｅｂページをＷｅｂページ評価結果に基づいて判定することができるので、Ｗｅｂページで紹介されている需用の大きい商品の商品化を行なうことができる。
【００５１】
上述した実施形態では、閲覧者端末２０の表示部２４には、Ｗｅｂページｗ１とともにそのＷｅｂページの評価が表示されるので、閲覧者はそのＷｅｂページｗ１を閲覧しながら、他の閲覧者がそのＷｅｂページをどのように評価しているかについて知ることができる。
また、上述した実施形態では、Ｗｅｂページｗ１についての評価を多数の閲覧者端末から自動的に取得することができるので、システムの運用費を低減することができるとともに、Ｗｅｂページの評価をリアルタイムに取得することができる。
【００５２】
なお、上述した実施形態では、管理者装置３０をアプリケーションサーバとデータベースサーバとで構成するようにしたが、アプリケーションサーバとデータベースサーバを１台のサーバで構成するようにしても良い。
また、上述した実施形態において、利用者によるＷｅｂページｗ１を評価するためのＣＧＩの利用を制限するようにしても良い。例えば、管理者装置３０に登録した利用者にのみＣＧＩの利用を認めるようにすることが考えられる。このような構成にすることにより、ＣＧＩが極めて多数の利用者により利用されることによって管理者装置３０の負荷が増大することを防ぐことができる。また、利用者を管理者装置３０に登録する際に、管理者がＷｅｂページｗ１の内容を閲覧することができるので、管理者が不適切と判定するＷｅｂページにＣＧＩが利用されることを防ぐことができる。
【００５３】
また、ＣＧＩ実行結果が閲覧者端末２０の表示部２４に表示される際に、Ｗｅｂページｗ１のデザインに馴染むよう、選択領域ｂ１の形状等にある程度自由を持たせても良い。これは、ＣＳＳ（Cascading Style Sheets）でクラス指定を行なうか、ＸＳＬＴ（XSL Transformations）を利用して利用者からＣＧＩのＨＴＭＬ（Hyper Text Markup Language）タブ構成を変更できるようにすることで実現することができる。
【００５４】
なお、以上説明した実施形態において、図１の利用者装置制御部１２、閲覧者端末制御部２３、アプリケーションサーバ制御部４２、データベースサーバ制御部５２の機能を実現するためのプログラムをコンピュータ読み取り可能な記録媒体に記録して、この記録媒体に記録されたプログラムをコンピュータシステムに読み込ませ、実行することによりＷｅｂページ評価システム１００の制御を行っても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５６】
【図１】本発明の実施形態によるＷｅｂページ評価システム１００の概略構成図である。
【図２】本発明の実施形態による利用者装置制御部１２が記憶するＷｅｂページの一例を示す図である。
【図３】本発明の実施形態によるデータベースサーバ記憶部５３が記憶するＣＧＩデータの一例を示す図である。
【図４】本発明の実施形態によるＷｅｂページ評価システム１００の処理を示すシーケンス図である。
【図５】本発明の実施形態によるアプリケーションサーバ制御部４２によるＣＧＩ実行結果の一例を示す図である。
【図６】本発明の実施形態による閲覧者端末２０の表示部２４に表示される画面の一例を示す図である。
【図７】本発明の実施形態による閲覧者端末２０の表示部２４に表示される画面の一例を示す図である。
【図８】本発明の実施形態によるアプリケーションサーバ４０ａの処理を説明するためのブロック図である。
【図９】本発明の実施形態による関連情報連結部４２７が生成する集計結果画像ｇ１の一例を示す図である。
【符号の説明】
【００５７】
１０・・・利用者装置、１１・・・利用者装置通信部、１２・・・利用者装置制御部、１３・・・利用者装置記憶部、２０・・・閲覧者端末、２１・・・入力部、２２・・・閲覧者端末通信部、２３・・・閲覧者端末制御部、２４・・・表示部、３０・・・管理者装置、４０ａ、４０ｂ・・・アプリケーションサーバ、４１・・・アプリケーションサーバ通信部、４２・・・アプリケーションサーバ制御、５０・・・データベースサーバ、５１・・・データベースサーバ通信部、５２・・・データベースサーバ制御部、５３・・・データベースサーバ記憶部、６０ａ、６０ｂ・・・ネットワーク、１００・・・Ｗｅｂページ評価システム、２３１・・・Ｗｅｂページ評価部、２３２・・・集計結果表示制御部、４２１・・・Ｗｅｂページ登録部、４２２・・・選択領域表示制御部、４２３・・・Ｗｅｂページ評価結果受信部、４２４・・・Ｗｅｂページ情報収集部、４２５・・・Ｗｅｂページ評価結果集計部、４２６・・・関連情報登録部、４２７・・・関連情報連結部、４２８・・・集計結果送信部、５３１・・・Ｗｅｂページ評価結果記憶部、５３２・・・関連情報記憶部
【図１】
2008077205.tif 000003
【図２】
2008077205.tif 000004
【図３】
2008077205.tif 000005
【図４】
2008077205.tif 000006
【図５】
2008077205.tif 000007
【図６】
2008077205.tif 000008
【図７】
2008077205.tif 000009
【図８】
2008077205.tif 000010
【図９】
2008077205.tif 000011